(57)【要約】【課題】写真や映像に、より興趣性に富んだパフォーマンス表現を施す。【解決手段】静止画像記憶手段（２１）と、装飾画像記憶手段（２２）と、付加音声データ記憶手段（２３）と、画像合成手段（１）と、画像表示手段（３）と、付加音声出力手段（４）と、を備えることにより、静止画像を装飾画像で装飾するとともに、付加音声で音声付きの記録を残すことができるデジタルカメラ（１０）とした。また、画像記憶手段（２１ｂ）と、音声記憶手段（２４ｂ）と、装飾画像記憶手段（２２ｂ）と、付加音声記憶手段（２３ｂ）と、リンク手段（１ｂ）と、画像合成手段（１ｂ）と、ミキシング手段（１ｂ）と、画像表示手段（３ｂ）と、ミキシングサウンド出力手段（４ｂ）と、を備えることにより、動画像を装飾画像で装飾するとともに、付加音声で音声付きの記録を残すことができるデジタルカメラ（２０）とした。【選択図】        図１
2004304524.tif 000002
【特許請求の範囲】
【請求項１】
静止画像を記憶する静止画像記憶手段と、
前記静止画像を装飾する装飾画像を記憶する装飾画像記憶手段と、
前記静止画像の再生に伴って再生される付加音声を記憶する付加音声記憶手段と、
前記静止画像と前記装飾画像と前記付加音声とをリンクさせるリンク手段と、
前記静止画像と前記装飾画像とを合成する画像合成手段と、
前記画像合成手段により合成された合成画像を表示する画像表示手段と、
前記合成画像の前記画像表示手段への表示に伴って、前記合成画像中の前記静止画像及び前記装飾画像にリンクされた前記付加音声を出力する付加音声出力手段と、
を備えることを特徴とするデジタルカメラ。
【請求項２】
前記付加音声記憶手段には、複数の付加音声が記憶され、
前記静止画像に応じてユーザが前記付加音声記憶手段に記憶された付加音声を選択入力するための付加音声選択入力手段を備えることを特徴とする請求項１に記載のデジタルカメラ。
【請求項３】
前記装飾画像記憶手段には、複数の装飾画像が記憶され、
前記静止画像に応じてユーザが前記装飾画像記憶手段に記憶された装飾画像を選択入力するための装飾画像選択入力手段を備えることを特徴とする請求項１又は２に記載のデジタルカメラ。
【請求項４】
動画像の画像を記憶する画像記憶手段と、
動画像の音声を記憶する音声記憶手段と、
前記動画像を装飾する装飾画像を記憶する装飾画像記憶手段と、
前記動画像の再生に伴って再生される付加音声を記憶する付加音声記憶手段と、
前記動画像の画像及び音声と前記装飾画像と前記付加音声とをリンクさせるリンク手段と、
前記動画像の画像と前記装飾画像とを合成する画像合成手段と、
前記動画像の音声と前記付加音声とをミキシングしてミキシングサウンドを作成するミキシング手段と、
前記画像合成手段により合成された合成画像を表示する画像表示手段と、
前記合成画像の前記画像表示手段への表示に伴って、前記ミキシングサウンドを出力するミキシングサウンド出力手段と、
を備えることを特徴とするデジタルカメラ。
【請求項５】
前記付加音声記憶手段には、複数の付加音声が記憶され、
前記動画像に応じてユーザが前記付加音声記憶手段に記憶された付加音声を選択入力するための付加音声選択入力手段を備えることを特徴とする請求項４に記載のデジタルカメラ。
【請求項６】
前記装飾画像記憶手段には、複数の装飾画像が記憶され、
前記動画像に応じてユーザが前記装飾画像記憶手段に記憶された装飾画像を選択入力するための装飾画像選択入力手段を備えることを特徴とする請求項４又は５に記載のデジタルカメラ。
【発明の詳細な説明】
【０００１】
【発明の属する技術分野】
本発明は、デジタルカメラに関する。
【０００２】
【従来の技術】
従来より、デジタルカメラで撮像した写真画像と、この写真画像を装飾する装飾画像とを合成して、デジタルカメラの表示部や、デジタルカメラに接続されたコンピュータのモニタに合成画像を表示させる機能が実用化されている。さらに、近年では、装飾画像の種類を増やすことで、装飾の自由度を高める工夫がなされているほか、より複雑な画像をより容易にかつ迅速に合成する技術が提案されている（例えば、特許文献１参照。）。
【０００３】
【特許文献１】
特開２００２−２１８２１８号公報
【０００４】
【発明が解決しようとする課題】
しかし、従来の技術では、写真画像や映像を装飾することしかできなかったため、いくら装飾画像のバリエーションを増やしたところで、ユーザの満足感を満たすことにも限度があった。従って、写真画像や映像を使って従来と異なるパフォーマンス表現を提供することにも限界があった。
【０００５】
そこで、本発明の課題は、写真や映像に、従来と異なったより興趣性に富んだパフォーマンス表現が可能なデジタルカメラを提供することにある。
【０００６】
【課題を解決するための手段】
以上の課題を解決するため、請求項１に記載の発明は、静止画像を記憶する静止画像記憶手段と、前記静止画像を装飾する装飾画像を記憶する装飾画像記憶手段と、前記静止画像の再生に伴って再生される付加音声を記憶する付加音声記憶手段と、前記静止画像と前記装飾画像と前記付加音声とをリンクさせるリンク手段と、前記静止画像と前記装飾画像とを合成する画像合成手段と、前記画像合成手段により合成された合成画像を表示する画像表示手段と、前記合成画像の前記画像表示手段への表示に伴って、前記合成画像中の前記静止画像及び前記装飾画像にリンクされた前記付加音声を出力する付加音声出力手段と、を備えることを特徴とする。
【０００７】
請求項１に記載の発明によれば、リンク手段が静止画像と装飾画像と付加音声とをリンクさせ、画像合成手段が、静止画像記憶手段から読み込まれた静止画像と装飾画像記憶手段から読み込まれた装飾画像とを合成し、合成画像を作成する。そして、この合成画像を画像表示手段に表示する場合に、付加音声記憶手段から読み込まれた付加音声が付加音声出力手段から出力される。
よって、静止画像を装飾画像で装飾するとともに、付加音声で音声付きの記録を残すことができるので、従来よりも興趣性に富んだパフォーマンス表現で静止画像を演出することができる。
【０００８】
請求項２に記載の発明は、請求項１に記載のデジタルカメラにおいて、前記付加音声記憶手段には、複数の付加音声が記憶され、前記静止画像に応じてユーザが前記付加音声記憶手段に記憶された付加音声を選択入力するための付加音声選択入力手段を備えることを特徴とする。
【０００９】
請求項２に記載の発明によれば、ユーザは、付加音声記憶手段に記憶された複数の付加音声の中から、静止画像に適した付加音声を付加音声選択入力手段により選択することができるので、各ユーザの好みに合った、バリエーションに富んだ記録が可能となる。
【００１０】
請求項３に記載の発明は、請求項１又は２に記載のデジタルカメラにおいて、前記装飾画像記憶手段には、複数の装飾画像が記憶され、前記静止画像に応じてユーザが前記装飾画像記憶手段に記憶された装飾画像を選択入力するための装飾画像選択入力手段を備えることを特徴とする。
【００１１】
請求項３に記載の発明によれば、ユーザは、装飾画像記憶手段に記憶された複数の装飾画像の中から、静止画像に適した装飾画像を装飾画像選択入力手段により選択することができるので、各ユーザの好みに合った、バリエーションに富んだ記録が可能となる。
【００１２】
請求項４に記載の発明は、動画像の画像を記憶する画像記憶手段と、動画像の音声を記憶する音声記憶手段と、前記動画像を装飾する装飾画像を記憶する装飾画像記憶手段と、前記動画像の再生に伴って再生される付加音声を記憶する付加音声記憶手段と、前記動画像の画像及び音声と前記装飾画像と前記付加音声とをリンクさせるリンク手段と、前記動画像の画像と前記装飾画像とを合成する画像合成手段と、前記動画像の音声と前記付加音声とをミキシングしてミキシングサウンドを作成するミキシング手段と、前記画像合成手段により合成された合成画像を表示する画像表示手段と、前記合成画像の前記画像表示手段への表示に伴って、前記ミキシングサウンドを出力するミキシングサウンド出力手段と、を備えることを特徴とする。
【００１３】
請求項４に記載の発明によれば、リンク手段が動画像の画像及び音声と装飾画像と付加音声とをリンクさせ、画像合成手段が、画像記憶手段から読み込まれた動画像の画像と装飾画像記憶手段から読み込まれた装飾画像とを合成し、合成画像を作成する。また、ミキシング手段が、音声記憶手段から読み込まれた動画像の音声と付加音声記憶手段から読み込まれた付加音声とをミキシングしてミキシングサウンドを作成する。そして、合成画像を画像表示手段に表示する場合に、ミキシングサウンドがミキシングサウンド出力手段から出力される。
よって、動画像を装飾画像で装飾するとともに、付加音声で音声付きの記録を残すことができるので、従来よりも興趣性に富んだパフォーマンス表現で動画像を演出することができる。
【００１４】
請求項５に記載の発明は、請求項４に記載のデジタルカメラにおいて、前記付加音声記憶手段には、複数の付加音声が記憶され、前記動画像に応じてユーザが前記付加音声記憶手段に記憶された付加音声を選択入力するための付加音声選択入力手段を備えることを特徴とする。
【００１５】
請求項５に記載の発明によれば、ユーザは、付加音声記憶手段に記憶された複数の付加音声の中から、動画像に適した付加音声を付加音声選択入力手段により選択することができるので、各ユーザの好みに合った、バリエーションに富んだ記録が可能となる。
【００１６】
請求項６に記載の発明は、請求項４又は５に記載のデジタルカメラにおいて、前記装飾画像記憶手段には、複数の装飾画像が記憶され、前記動画像に応じてユーザが前記装飾画像記憶手段に記憶された装飾画像を選択入力するための装飾画像選択入力手段を備えることを特徴とする。
【００１７】
請求項６に記載の発明によれば、ユーザは、装飾画像記憶手段に記憶された複数の装飾画像の中から、動画像に適した装飾画像を装飾画像選択入力手段により選択することができるので、各ユーザの好みに合った、バリエーションに富んだ記録が可能となる。
【００１８】
【発明の実施の形態】
以下、図面を参照して本発明の実施の形態におけるデジタルカメラについて詳細に説明する。
〔第１の実施の形態〕
第１の実施の形態では、静止画像を記録する機能を有するデジタルカメラ１０について説明する。
図１に示すように、デジタルカメラ１０は、各部の操作を制御する制御部１と、撮像した静止画像、装飾画像としてのテンプレート画像、付加音声としての付加サウンド等を記憶する記憶部２と、制御部１により合成された合成画像を表示する画像表示手段としての表示部３と、合成画像を表示する表示部３への表示に伴って、付加サウンドを出力する付加音声出力手段としてのサウンド出力部４と、ユーザが再生する静止画像に適した付加音声を選択入力する付加音声選択入力手段としての付加サウンド選択入力部５と、ユーザが再生する静止画像に適したテンプレート画像を選択入力する装飾画像選択入力手段としてのテンプレート画像選択入力部６とを備えている。
【００１９】
制御部１は、各部を制御するのに必要なシステムプログラム等を実行するＣＰＵ１１、ＣＰＵ１１のワークエリア等として使用されるＲＡＭ１２、ＣＰＵ１１が実行するシステムプログラム等が記憶されたＲＯＭ１３を備えている。
【００２０】
ＣＰＵ１１は、ＲＯＭ１３内に格納されたプログラムを読み出してＲＡＭ１２内に展開し、当該プログラムに基づいて各部への指示等を制御する。具体的に、ＣＰＵ１１は、静止画像とテンプレート画像と付加サウンドとをリンクさせるリンク手段として機能する。
また、ＣＰＵ１１は、静止画像とテンプレート画像とを合成する画像合成手段として機能する。
ＲＡＭ１２は、ＣＰＵ１１のワークエリアを形成するとともに、ＣＰＵ１１の制御の下、画像データを一時的に記憶するメモリエリアを有する。
ＲＯＭ１３には、ＣＰＵ１１が各種機能を実行するためのプログラムが格納されている。具体的に、ＲＯＭ１３は、静止画像とテンプレート画像と付加サウンドとをリンクさせる機能を実現させるリンクプログラムを有する。
また、ＲＯＭ１３は、静止画像とテンプレート画像とを合成する機能を実現させる画像合成プログラムを有する。
【００２１】
記憶部２は、静止画像、テンプレート画像、付加サウンドを記憶するものである。具体的には、静止画像を記憶する静止画像記憶手段としての静止画像記憶部２１と、静止画像を装飾するテンプレート画像を記憶する装飾画像記憶手段としてのテンプレート画像記憶部２２と、静止画像の再生に伴って再生される付加サウンドを記憶する付加音声記憶手段としての付加サウンド記憶部２３とを備えている。
【００２２】
静止画像記憶部２１は、主にデジタルカメラ１０で撮像した写真画像を記憶する場所であり、図２に示すように、複数の静止画像ファイルｆ１と、当該静止画像ファイルｆ１とユーザが選択入力したテンプレート画像ファイルｆ２及び付加サウンドファイルｆ３とをリンクさせるリンクファイルｆ４と、が記憶されている。なお、静止画像記憶部２１は、他のカメラで撮像した写真画像を取り込んで記憶させることもできる。
【００２３】
テンプレート画像記憶部２２は、事前に作成されたテンプレート画像を記憶する場所であり、図２に示すように、複数種のテンプレート画像ファイルｆ２が記憶されている。また、複数種のテンプレート画像ファイルｆ２を記憶させておくことで、撮像されるあらゆるシチュエーションに対応できるようになっている。また、テンプレート画像ファイルｆ２は、ユーザが選択した付加サウンドファイルｆ３と組み合わされてリンクファイルｆ４に書き込まれる。図２においては、テンプレート画像ファイルｆ２と付加サウンドファイルｆ３とが組み合わされた状態を示している。なお、これらのテンプレート画像ファイルｆ２は、他の機器から取り込んだものでも良いし、デジタルカメラ１０の製造時に内蔵させておいても良い。また、付加サウンドファイルｆ３は、対応するテンプレート画像ファイルｆ２と事前に組み合わされていても良い。
【００２４】
付加サウンド記憶部２３は、事前に作成された付加サウンドファイルｆ３を記憶させる場所であり、図２に示すように、複数種の付加サウンドファイルｆ３が記憶されている。また、複数種の付加サウンドファイルｆ３を記憶させておくことで、撮像されるあらゆるシチュエーションに対応できるようになっている。また、付加サウンドファイルｆ３は、テンプレート画像ファイルｆ２と組み合わされてリンクファイルｆ４に書き込まれる。なお、これらの付加サウンドファイルｆ３は、他の機器から取り込んだものでも良いし、デジタルカメラ１０の製造時に内蔵させておいても良い。
【００２５】
表示部３は、デジタルカメラ１０のレンズと反対側の側面に設けられた表示画面３１を備えており、この表示画面３１がファインダの機能を兼ね備えている。
音声出力部４は、ユーザが選択した付加音声を出力するスピーカ等から構成されている。
付加サウンド選択入力部５は、図４に示すように、付加サウンド記憶部２３に記憶されている付加サウンド名等を表示画面３１に表示させる操作キー５１、付加サウンドの選択操作に用いるカーソルキー５２を備えている。
テンプレート画像選択入力部６は、図４に示すように、テンプレート画像記憶部２２に記憶されているテンプレート画像を表示画面３１に表示させる操作キー６１、テンプレート画像の選択操作に用いるカーソルキー５２を備えている。なお、カーソルキー５２は、付加サウンドの選択と同じキーを用いる。
また、付加サウンド及びテンプレート画像の選択を決定する決定キー５３が、操作キー５１，６１に並んで設けられ、付加サウンド選択入力部５とテンプレート画像選択入力部６とで共用できるようになっている。
【００２６】
次に、上記のように構成されたデジタルカメラ１０における静止画像の記録処理について、図３を用いて説明する。
まず、ユーザの操作により、ＣＰＵ１１は静止画像記憶部２１にアクセスして、再生させる静止画像を選択する（ステップＳ１）。
次いで、ユーザの操作により、ＣＰＵ１１はテンプレート画像記憶部２２にアクセスして、選択した静止画像に適したテンプレート画像を選択する（ステップＳ２）。
次いで、ユーザの操作により、ＣＰＵ１１は付加サウンド記憶部２３にアクセスして、選択した静止画像に適した付加サウンドを選択する（ステップＳ３）。
【００２７】
ここで、静止画像、テンプレート画像及び付加サウンドの選択について、具体例を挙げると、図４に示すように、静止画像ファイルｆ１が結婚式の写真である場合、ユーザは、操作キー６１及びカーソルキー５２を操作して結婚式にふさわしい薔薇の花をあしらったテンプレート画像を選択する。さらに、ユーザは、操作キー５１及びカーソルキー５２を操作して結婚式にふさわしい付加サウンドを選択する。選択が終わると、ユーザは決定キー５３を操作することにより、静止画像、テンプレート画像及び付加サウンドの組み合わせが決定される。
【００２８】
次いで、図２に示すように、ＣＰＵ１１は、リンクプログラムを実行することにより、選択したテンプレート画像ファイルｆ２及び付加サウンドファイルｆ３をリンクファイルｆ４に書き込み、静止画像ファイルｆ１とリンクさせる（ステップＳ４）。
次いで、ＣＰＵ１１は、画像合成プログラムを実行することにより、静止画像ファイルｆ１とテンプレート画像ファイルｆ２とを合成する（ステップＳ５）。
次いで、ＣＰＵ１１は、合成した合成画像を表示部３に表示させるとともに、付加サウンドファイルｆ３に基づいた付加サウンドをサウンド出力部４から出力させる（ステップＳ６）。
【００２９】
第１の実施の形態のデジタルカメラ１０によれば、ＣＰＵ１１がリンクプログラムを実行することにより、静止画像とテンプレート画像と付加サウンドとをリンクさせ、ＣＰＵ１１が画像合成プログラムを実行することにより、静止画像記憶部２１から読み込んだ静止画像とテンプレート画像記憶部２２から読み込んだテンプレート画像とを合成し、合成画像を作成する。そして、この合成画像を表示画面３１に表示する場合に、ＣＰＵ１１が付加サウンド記憶部２３から読み込んだ付加サウンドをサウンド出力部４から出力させる。
よって、静止画像をテンプレート画像で装飾するとともに、付加サウンドで音声付きの記録を残すことができるので、従来よりも興趣性に富んだパフォーマンス表現で静止画像を演出することができる。
【００３０】
また、ユーザは、付加サウンド記憶部２３に記憶された複数の付加サウンドの中から、再生する静止画像に適した付加サウンドを付加サウンド選択入力部５により選択することができる。更に、ユーザは、テンプレート画像記憶部２２に記憶された複数のテンプレート画像の中から、再生する静止画像に適したテンプレート画像をテンプレート画像選択入力部６により選択することができるので、各ユーザの好みに合った、バリエーションに富んだ記録が可能となる。
【００３１】
〔第２の実施の形態〕
第２の実施の形態では、動画像を記録する機能を有するデジタルカメラ２０について説明する。
図５に示すように、デジタルカメラ２０は、各部の操作を制御する制御部１ｂと、撮像した動画像の画像、動画像の音声、装飾画像としてのテンプレート画像、付加音声としての付加サウンド等を記憶する記憶部２ｂと、制御部１ｂにより合成された合成画像を表示する画像表示手段としての表示部３ｂと、合成画像の表示部３ｂへの表示に伴って、ミキシングサウンドを出力するミキシングサウンド出力手段としてのサウンド出力部４ｂと、ユーザが再生する動画像に適した付加サウンドを選択入力する付加音声選択入力手段としての付加サウンド選択入力部５ｂと、ユーザが再生する動画像に適したテンプレート画像を選択入力する装飾画像選択入力手段としてのテンプレート画像選択入力部６ｂとを備えている。
【００３２】
制御部１ｂは、各部を制御するのに必要なシステムプログラム等を実行するＣＰＵ１１ｂ、ＣＰＵ１１ｂのワークエリア等として使用されるＲＡＭ１２ｂ、ＣＰＵ１１ｂが実行するシステムプログラム等が記憶されたＲＯＭ１３ｂを備えている。
【００３３】
ＣＰＵ１１ｂは、ＲＯＭ１３ｂ内に格納されたプログラムを読み出してＲＡＭ１２ｂ内に展開し、当該プログラムに基づいて各部への指示等を制御する。具体的に、ＣＰＵ１１ｂは、動画像の画像とテンプレート画像と付加サウンドとをリンクさせるリンク手段として機能する。
また、ＣＰＵ１１ｂは、動画像の画像とテンプレート画像とを合成する画像合成手段として機能する。更に、ＣＰＵ１１ｂは、動画像の音声と付加サウンドとをミキシングしてミキシングサウンドを作成するミキシング手段として機能する。
ＲＡＭ１２ｂは、ＣＰＵ１１ｂのワークエリアを形成するとともに、ＣＰＵ１１ｂの制御の下、画像データを一時的に記憶するメモリエリアを有する。
ＲＯＭ１３ｂには、ＣＰＵ１１ｂが各種機能を実行するためのプログラムが格納されている。具体的に、動画像の画像とテンプレート画像と付加サウンドとをリンクさせる機能を実現させるリンクプログラムを有する。
また、ＲＯＭ１３ｂは、動画像の画像とテンプレート画像とを合成する機能を実現させる画像合成プログラムを有する。更に、ＲＯＭ１３ｂは、動画像の音声と付加サウンドとをミキシングしてミキシングサウンドを作成する機能を実現させるミキシングプログラムを有する。
【００３４】
記憶部２ｂは、動画像の画像、テンプレート画像、付加サウンド、動画像の音声を記憶するものである。具体的には、動画像の画像を記憶する画像記憶手段としての画像記憶部２１ｂと、動画像を装飾するテンプレート画像が記憶される装飾画像記憶手段としてのテンプレート画像記憶部２２ｂと、動画像の再生に伴って再生される付加サウンドを記憶する付加音声記憶手段としての付加サウンド記憶部２３ｂと、動画像の音声を記憶する音声記憶手段としての音声記憶部２４ｂと、を備えている。
【００３５】
画像記憶部２１ｂは、主にデジタルカメラ２０で撮像した動画像を記憶させる場所であり、図６に示すように、複数の画像ファイルｆ６と、当該画像ファイルｆ６とユーザが選択入力したテンプレート画像ファイルｆ７及び付加サウンドファイルｆ８と音声ファイルｆ９とをリンクさせるリンクファイルｆ１０と、が記憶されている。なお、画像記憶部２１ｂは、他のカメラで撮像した動画像を取り込んで記憶させることもできる。
【００３６】
テンプレート画像記憶部２２ｂは、事前に作成されたテンプレート画像を記憶させる場所であり、図６に示すように、複数種のテンプレート画像ファイルｆ７が記憶されている。また、複数種のテンプレート画像ファイルｆ７を記憶させておくことで、撮像されるあらゆるシチュエーションに対応できるようになっている。また、テンプレート画像ファイルｆ７は、付加サウンドファイルｆ８及び音声ファイルｆ９と組み合わされてリンクファイルｆ１０に書き込まれる。図６においては、テンプレート画像ファイルｆ７と付加サウンドファイルｆ８とが組み合わされた状態を示している。なお、これらのテンプレート画像ファイルｆ７は、他の機器から取り込んだものでも良いし、デジタルカメラ２０の製造時に内蔵させておいても良い。また、付加サウンドファイルｆ８は、事前にテンプレート画像ファイルｆ７と組み合わされていても良い。
【００３７】
付加サウンド記憶部２３ｂは、事前に作成された付加サウンドファイルｆ８を記憶させる場所であり、図６に示すように、複数種の付加サウンドファイルｆ８が記憶されている。また、複数種の付加サウンドファイルｆ８を記憶させておくことで、撮像されるあらゆるシチュエーションに対応できるようになっている。また、付加サウンドファイルｆ８は、テンプレート画像ファイルｆ７と組み合わせてリンクファイルｆ１０に書き込まれる。なお、これらの付加サウンドファイルｆ８は、他の機器から取り込んだものでも良いし、デジタルカメラ２０の製造時に内蔵させておいても良い。
【００３８】
音声記憶部２４ｂは、動画像を撮像中に録音された音声の音声ファイルｆ９を記憶させる場所であり、画像ファイルｆ６とは別個のファイルに記憶されている。また、音声ファイルｆ９は、テンプレート画像ファイルｆ７と組み合わせてリンクファイルｆ１０に書き込まれる。なお、これらの付加サウンドファイルｆ８は、他の機器から取り込んだものでも良いし、デジタルカメラ２０の製造時に内蔵させておいても良い。
【００３９】
表示部３ｂは、デジタルカメラ２０のレンズと反対側の側面に設けられた表示画面３１ｂを備え、この表示画面３１ｂはファインダの機能を兼ね備えている。サウンド出力部４ｂは、付加サウンドを出力するスピーカ等から構成されている。
付加サウンド選択入力部５ｂは、図４に示すように、付加サウンド記憶部２３ｂに記憶されている曲名等を表示画面３１ｂに表示させる操作キー５１ｂ、付加サウンドの選択操作に用いるカーソルキー５２ｂを備えている。
テンプレート画像選択入力部６ｂは、図４に示すように、テンプレート画像記憶部２２ｂに記憶されている装飾画像を表示画面３１ｂに表示させる操作キー６１ｂ、装飾画像の選択操作に用いるカーソルキー５２ｂを備えている。なお、カーソルキー５２ｂは、付加音声データの選択操作に用いるカーソルキー５２ｂと共用する。
また、付加サウンド及びテンプレート画像の選択を決定する決定キー５３ｂが、操作キー５１，６１に並んで設けられ、付加サウンド選択入力部５ｂとテンプレート画像選択入力部６ｂとで共用できるようになっている。
【００４０】
次に、上記のように構成されたデジタルカメラ２０における動画像の記録処理について、図７を用いて説明する。
まず、ユーザの操作により、ＣＰＵ１１ｂは画像記憶部２１ｂ及び音声記憶部２２ｂにアクセスして、再生させる動画像の画像及び音声を選択する（ステップＳ１１）。
次いで、ユーザの操作により、ＣＰＵ１１ｂは装飾画像記憶部２２ｂにアクセスして、選択した動画像に適した装飾画像を選択する（ステップＳ１２）。
次いで、ユーザの操作により、ＣＰＵ１１ｂは付加サウンド記憶部２３ｂにアクセスして、選択した動画像に適した付加サウンドを選択する（ステップＳ１３）。
【００４１】
次いで、ユーザが付加サウンドと動画像の音声とのミキシング率を入力する（ステップＳ１４）。入力されたミキシング率はＲＡＭ１２ｂに記憶される。
次いで、図６に示すように、ＣＰＵ１１ｂは、リンクプログラムを実行することにより、選択したテンプレート画像ファイルｆ７と付加サウンドファイルｆ８と音声ファイルｆ９とをリンクファイルｆ１０に書き込み、画像ファイルｆ６とリンクさせる（ステップＳ１５）。
次いで、ＣＰＵ１１ｂは、画像合成プログラムを実行することにより、画像ファイルｆ６とテンプレート画像ファイルｆ７とを合成する（ステップＳ１６）。
【００４２】
次いで、ＣＰＵ１１ｂは、ミキシングプログラムを実行することにより、付加サウンドファイルｆ８と音声ファイルｆ９とをミキシングする（ステップＳ１７）。
次いで、ＣＰＵ１１ｂは、合成した合成画像を表示部３に表示させるとともに、ミキシング率に基づいてミキシングしたミキシングサウンドをサウンド出力部４ｂから出力させる（ステップＳ１８）。
【００４３】
第２の実施の形態のデジタルカメラ２０によれば、ＣＰＵ１１ｂがリンクプログラムを実行することにより、動画像の画像及び音声とテンプレート画像と付加サウンドとをリンクさせ、ＣＰＵ１１ｂが画像合成プログラムを実行することにより、画像記憶部２１ｂから読み込んだ画像とテンプレート画像記憶部２２ｂから読み込んだテンプレート画像とを合成し、合成画像を作成する。また、ＣＰＵ１１ｂがミキシングプログラムを実行することにより、音声記憶部２４ｂから読み込んだ動画像の音声と付加サウンド記憶部２３ｂから読み込んだ付加サウンドとをミキシングしてミキシングサウンドを作成する。そして、合成画像を表示部３ｂの表示画面３１ｂに表示する場合に、ＣＰＵ１１ｂがミキシングサウンドをサウンド出力部４ｂから出力させる。
よって、動画像をテンプレート画像で装飾するとともに、付加サウンドで音声付きの記録を残すことができるので、従来よりも興趣性に富んだパフォーマンス表現で動画像を演出することができる。
【００４４】
また、ユーザは、付加サウンド記憶部２３ｂに記憶された複数の付加サウンドの中から、再生する動画像に適した付加サウンドを付加サウンド選択入力部５ｂにより選択することができる。更に、ユーザは、テンプレート画像記憶部２２ｂに記憶された複数のテンプレート画像の中から、再生する動画像に適したテンプレート画像をテンプレート画像選択入力部６ｂにより選択することができるので、各ユーザの好みにあった、バリエーションに富んだ記録が可能となる。
【００４５】
なお、本発明は、上記実施の形態に限定されるものではない。例えば、本実施の形態においては、静止画像を記録する機能と動画像を記録する機能とを別個に説明したが、両機能を備えるデジタルカメラとしても良い。その他、本発明は、発明の要旨を逸脱しない範囲内で自由に変更、改良が可能である。
【００４６】
【発明の効果】
請求項１に記載の発明によれば、リンク手段が静止画像と装飾画像と付加音声とをリンクさせ、画像合成手段が、静止画像記憶手段から読み込まれた静止画像と装飾画像記憶手段から読み込まれた装飾画像とを合成し、合成画像を作成する。そして、この合成画像を画像表示手段に表示する場合に、付加音声記憶手段から読み込まれた付加音声が付加音声出力手段から出力される。
よって、静止画像を装飾画像で装飾するとともに、付加音声で音声付きの記録を残すことができるので、従来よりも興趣性に富んだパフォーマンス表現で静止画像を演出することができる。
【００４７】
請求項２に記載の発明によれば、ユーザは、付加音声記憶手段に記憶された複数の付加音声の中から、再生する静止画像に適した付加音声を付加音声選択入力手段により選択することができるので、各ユーザの好みに合った、バリエーションに富んだ記録が可能となる。
【００４８】
請求項３に記載の発明によれば、ユーザは、装飾画像記憶手段に記憶された複数の装飾画像の中から、再生する静止画像に適した装飾画像を装飾画像選択入力手段により選択することができるので、各ユーザの好みに合った、バリエーションに富んだ記録が可能となる。
【００４９】
請求項４に記載の発明によれば、リンク手段が動画像の画像及び音声と装飾画像と付加音声とをリンクさせ、画像合成手段が、画像記憶手段から読み込まれた動画像の画像と装飾画像記憶手段から読み込まれた装飾画像とを合成し、合成画像を作成する。また、ミキシング手段が、音声記憶手段から読み込まれた動画像の音声と付加音声記憶手段から読み込まれた付加音声とをミキシングしてミキシングサウンドを作成する。そして、合成画像を画像表示手段に表示する場合に、ミキシングサウンドがミキシングサウンド出力手段から出力される。
よって、動画像を装飾画像で装飾するとともに、付加音声で音声付きの記録を残すことができるので、従来よりも興趣性に富んだパフォーマンス表現で動画像を演出することができる。
【００５０】
請求項５に記載の発明によれば、ユーザは、付加音声記憶手段に記憶された複数の付加音声の中から、再生する動画像に適した付加音声を付加音声選択入力手段により選択することができるので、各ユーザの好みに合った、バリエーションに富んだ記録が可能となる。
【００５１】
請求項６に記載の発明によれば、ユーザは、装飾画像記憶手段に記憶された複数の装飾画像の中から、再生する動画像に適した装飾画像を装飾画像選択入力手段により選択することができるので、各ユーザの好みに合った、バリエーションに富んだ記録が可能となる。
【図面の簡単な説明】
【図１】本発明の第１の実施の形態におけるデジタルカメラの要部構成を示すブロック図である。
【図２】第１の実施の形態における記憶部のファイル構造を示すブロック図である。
【図３】第１の実施の形態における静止画像の記録処理を示すフローチャートである。
【図４】第１の実施の形態における静止画像の記録処理の具体例を示す図である。
【図５】本発明の第２の実施の形態におけるデジタルカメラの要部構成を示すブロック図である。
【図６】第２の実施の形態における記憶部のファイル構造を示すブロック図である。
【図７】第２の実施の形態における動画像の記録処理を示すフローチャートである。
【符号の説明】
１        制御部（画像合成手段）
１ｂ      制御部（画像合成手段、ミキシング手段）
２１      静止画像記憶部（静止画像記憶手段）
２１ｂ    画像記憶部（画像記憶手段）
２２      テンプレート画像記憶部（装飾画像記憶手段）
２２ｂ    テンプレート画像記憶部（装飾画像記憶手段）
２３      付加サウンド記憶部（付加音声記憶手段）
２３ｂ    付加サウンド記憶部（付加音声記憶手段）
２４ｂ    音声記憶部（音声記憶手段）
３        表示部（画像表示手段）
３ｂ      表示部（画像表示手段）
４        サウンド出力部（付加音声出力手段）
４ｂ      サウンド出力部（ミキシングサウンド出力手段）
５        付加サウンド選択入力部（付加音声選択入力手段）
５ｂ      付加サウンド選択入力部（付加音声選択入力手段）
６        テンプレート画像選択入力部（装飾画像選択入力手段）
６ｂ      テンプレート画像選択入力部（装飾画像選択入力手段）
【図１】
2004304524.tif 000003
【図２】
2004304524.tif 000004
【図３】
2004304524.tif 000005
【図４】
2004304524.tif 000006
【図５】
2004304524.tif 000007
【図６】
2004304524.tif 000008
【図７】
2004304524.tif 000009